【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
媒体の裏面を支持する媒体支持領域を有し、前記媒体を支持しながら所定の搬送方向へ搬送する媒体搬送部と、
前記媒体の搬送路上における前記媒体搬送部に前記媒体の固定支持が開始される支持開始位置よりも媒体搬送方向の上流側の直近に配置され、前記媒体の表面に接触させて前記媒体を前記媒体搬送部へ密着させるガイド部と、
を備え、
前記ガイド部は、前記媒体に対向する位置に吸引口が設けられ、少なくとも一部が前記媒体支持領域に固定支持された前記媒体の、前記媒体支持領域に固定支持されていない部分に前記吸引口から吸引圧力を付与してバックテンションをかけることを特徴とする媒体搬送装置。
【請求項２】
前記媒体搬送部の前記媒体支持領域に前記媒体の裏側を吸引する吸引圧力を発生させる吸引圧力発生部を有し、
前記吸引圧力発生部によって前記媒体に付与される吸引圧力Ｗの絶対値｜Ｗ｜と、前記ガイド部によって前記媒体に付与される吸引圧力Ｑの絶対値｜Ｑ｜と、の関係は、次式
｜Ｗ｜×２＜｜Ｑ｜
を満たすことを特徴とする請求項１に記載の媒体搬送装置。
【請求項３】
前記ガイド部は、中空の円筒形状を有し、中心軸を回転軸として回転可能に支持された回転ローラと、
前記回転ローラの内部に内挿される固定支持された固定ローラと、
を有し、
前記回転ローラは、媒体に接触する面に複数の吸引穴が設けられ、
前記固定ローラは、前記吸引口が前記中心軸と平行方向に沿って設けられることを特徴とする請求項１又は２に記載の媒体搬送装置。
【請求項４】
前記媒体のカール状態を判断するカール状態判断手段を備え、
前記ガイド部は、軸方向の中央部に設けられる前記吸引穴の少なくとも一部、及び軸方向の両端部に設けられる前記吸引穴の少なくとも一部を遮蔽する遮蔽部を具備し、
前記判断された媒体のカール状態が表面側に凸形状の場合は、前記遮蔽部によって軸方向の中央部に設けられる前記吸引穴の少なくとも一部をふさぎ、前記判断された媒体のカール状態が表面側に凹形状の場合は、前記遮蔽部によって軸方向の両端部に設けられる前記吸引穴の少なくとも一部をふさぐことを特徴とする請求項３に記載の媒体搬送装置。
【請求項５】
前記ガイド部は、中空の円筒形状を有し、中心軸を回転軸として回転可能に支持された回転ローラと、
中空の円筒形状を有し、前記回転ローラに内挿され、前記回転ローラの中心軸に固定支持された吸引角度調整ローラと、
前記吸引角度調整ローラに内挿され、前記吸引角度調整ローラに対して回転可能に構成され、前記回転ローラの中心軸に支持された吸引位置調整ローラと、
を有し、
前記回転ローラは、媒体に接触する面に複数の吸引穴が設けられ、
前記吸引角度調整ローラは、前記媒体へ吸引圧力を付与する吸引口が前記中心軸と平行方向に沿って設けられ、
前記吸引位置調整ローラは、前記吸引角度調整ローラの軸方向の両端部又は中央部の前記吸引口の少なくとも一部を遮蔽する前記遮蔽部を備えたことを特徴とする請求項４に記載の媒体搬送装置。
【請求項６】
前記カール状態判断手段は、前記ガイド部の吸引流量に基づいて前記媒体のカール状態を判断することを特徴とする請求項４又は５に記載の媒体搬送装置。
【請求項７】
前記媒体の裏面側から前記媒体に向けてエアを吹き付ける吹付部を備えたことを特徴とする請求項１から６いずれか１項に記載の媒体搬送装置。
【請求項８】
前記吸引圧力付与部によって前記媒体に付与される吸引圧力Ｗの絶対値｜Ｗ｜と、前記ガイド部によって前記媒体に付与される吸引圧力Ｑの絶対値｜Ｑ｜と、前記吹付部によって媒体に付与される吹付圧力Ｅの絶対値｜Ｅ｜と、の関係は、次式
｜Ｗ｜×２＜｜Ｑ｜＋｜Ｅ｜
を満たすように前記吹付部を制御する吹付制御部を備えたことを特徴とする請求項７に記載の媒体搬送装置。
【請求項９】
前記吹付制御部は、前記媒体の後端部が前記吹付部のエア吹付領域を通過する際に、前記吹付部から前記媒体の後端部に向けてエアを吹き付けるように前記吹付部を制御することを特徴とする請求項７又は８に記載の媒体搬送装置。
【請求項１０】
前記吹付制御部は、前記吹付圧力Ｅの絶対値｜Ｅ｜と前記吸引圧力Ｑの絶対値｜Ｑ｜との和が前記吸引圧力付与部によって前記媒体に付与される吸引圧力Ｗの絶対値｜Ｗ｜の５倍を超える場合は、前記吹付部のエア吹き付けを停止させることを特徴とする請求項８又は９に記載の媒体搬送装置。
【請求項１１】
前記ガイド部と前記媒体搬送部との最短距離は、使用される媒体の厚みの最大値の１．５倍以上２倍以下であることを特徴とする請求項１から１０のいずれか１項に記載の媒体搬送装置。
【請求項１２】
前記ガイド部は、前記媒体に対して搬送方向と反対向きに一定の負荷をかける負荷付与部を備えたことを特徴とする請求項１から１１のいずれか１項に記載の媒体搬送装置。
【請求項１３】
前記負荷付与部は、前記ガイド部の回転可能な部分の回転を抑制する回転抑制機構を含むことを特徴とする請求項１２に記載の媒体搬送装置。
【請求項１４】
前記媒体搬送部は、円筒形状を有し、外周面に前記媒体を固定支持しながら中心軸の回りを回転して、前記媒体を周方向に沿って搬送する圧胴を含み、
前記圧胴は、外周面の所定位置に前記媒体の先端部を固定する固定部を有し、
前記ガイド部は、前記固定部によって前記媒体の固定が開始される受渡部よりも媒体搬送方向下流側に配置されることを特徴とする請求項１から１３のいずれか１項に記載の媒体搬送装置。
【請求項１５】
記録媒体を保持しながら所定の方向へ搬送する搬送手段と、
前記搬送手段に搬送される記録媒体へ画像を形成する画像形成手段と、
を備え、
前記媒体搬送手段は、前記記録媒体の裏面を支持する媒体支持領域を有し、前記記録媒体を支持しながら所定の搬送方向へ搬送する媒体搬送部と、
前記記録媒体の搬送路上における前記媒体搬送部に前記記録媒体の固定支持が開始される支持開始位置よりも媒体搬送方向の上流側の直近に配置され、前記記録媒体の表面に接触させて前記記録媒体を前記媒体搬送部へ密着させるガイド部と、
を具備し、
前記ガイド部は、前記記録媒体に対向する位置に吸引口が設けられ、少なくとも一部が前記媒体支持領域に固定支持された前記記録媒体の、前記媒体支持領域に固定支持されていない部分に吸引圧力を付与してバックテンションをかけることを特徴とする画像形成装置。
【手続補正２】
【補正対象書類名】明細書
【補正対象項目名】００９７
【補正方法】変更
【補正の内容】
【００９７】
さらに、図示は省略するが、吸着位置シリンダ１３７の切欠部１３７Ｂが第２領域１３７‐２の吸引角度シリンダ１３６の切欠部１３６Ｂの位置に達した状態がある。かかる状態では、ガイドローラ１２８の軸方向の両端部の吸引穴４０のみから吸引圧力が付与され、ガイドローラ１２８の軸方向の中央部の吸引穴４０は吸着位置シリンダ１３７本体により遮蔽されているので、吸引圧力は発生しない。
【手続補正３】
【補正対象書類名】明細書
【補正対象項目名】０１０８
【補正方法】変更
【補正の内容】
【０１０８】
一方、図１６（ａ）に示す用紙１６が凸カール状態（中央部が浮き上がった状態）では、図１６（ｂ），（ｃ）に示すように吸引位置シリンダ１３８を回転させ、外部ローラ３４の軸方向の中央部の吸引穴４０Ａを遮蔽して吸引圧力を弱めるとともに、両端部の吸引圧力を相対的に強くしている。
【手続補正４】
【補正対象書類名】明細書
【補正対象項目名】０１０９
【補正方法】変更
【補正の内容】
【０１０９】
他方、図１７（ａ）に示す用紙１６が凹カール状態（端辺が浮き上がった状態）では、図１７（ｂ），（ｃ）に示すように吸引位置シリンダ１３８を回転させ、外部ローラ３４の軸方向の両端部の吸引穴４０を遮蔽して吸引圧力を弱め、中央部の吸引圧力を相対的に強くしている。
【手続補正５】
【補正対象書類名】明細書
【補正対象項目名】０１１３
【補正方法】変更
【補正の内容】
【０１１３】
ステップＳ１４において、用紙１６がカールしていないと判断されると（ＮＯ判定）、ステップＳ１６に進み、ガイドローラ１２８の中央部及び両端部の吸引穴４０がともに開放される（図１５（ｃ）参照）。
【手続補正６】
【補正対象書類名】明細書
【補正対象項目名】０１１４
【補正方法】変更
【補正の内容】
【０１１４】
一方、ステップＳ１４において、用紙１６がカールしていると判断されると（ＹＥＳ判定）、ステップＳ１８に進み、用紙１６のカール状態が凸であるか凹であるかが判断される。ステップＳ１８において、用紙１６が凹カールと判断されると（ＮＯ判定）、ガイドローラ１２８の両端部の吸引穴４０が遮蔽され（ステップＳ２０、図１７（ｃ）参照）、ステップＳ２２に進む。
【手続補正７】
【補正対象書類名】明細書
【補正対象項目名】０１１５
【補正方法】変更
【補正の内容】
【０１１５】
一方、ステップＳ１８において、用紙１６のカール状態が凸カールであると判断されると（ＹＥＳ判定）、ガイドローラ１２８の中央部の吸引穴４０が遮蔽される（ステップＳ２４、図１６（ｃ）参照）、ステップＳ２４に進む。
【手続補正８】
【補正対象書類名】明細書
【補正対象項目名】０１２６
【補正方法】変更
【補正の内容】
【０１２６】
なお、用紙１６のベルト１３への支持開始位置に別途ガイド部材を備える態様も好ましい。かかる態様によれば、用紙１６の先端部がベルト１３への支持される直前の浮きを防止しうる。
【手続補正９】
【補正対象書類名】明細書
【補正対象項目名】０１４０
【補正方法】変更
【補正の内容】
【０１４０】
（発明１）：媒体の裏面を支持する媒体支持領域を有し、前記媒体を支持しながら所定の搬送方向へ搬送する媒体搬送部と、前記媒体の搬送路上における前記媒体搬送部に前記媒体の固定支持が開始される支持開始位置よりも媒体搬送方向の上流側の直近に配置され、前記媒体の表面に接触させて前記媒体を前記媒体搬送部へ密着させるガイド部と、を備え、前記ガイド部は、前記媒体に対向する位置に吸引口が設けられ、少なくとも一部が前記媒体支持領域に固定支持された前記媒体の、前記媒体支持領域に固定支持されていない部分に前記吸引口から吸引圧力を付与してバックテンションをかける媒体搬送装置。
【手続補正１０】
【補正対象書類名】明細書
【補正対象項目名】０１４６
【補正方法】変更
【補正の内容】
【０１４６】
（発明２）：発明１に記載の媒体搬送装置において、前記媒体搬送部の前記媒体支持領域に前記媒体の裏側を吸引する吸引圧力を発生させる吸引圧力発生部を有し、前記吸引圧力発生部によって前記媒体に付与される吸引圧力Ｗの絶対値｜Ｗ｜と、前記ガイド部によって前記媒体に付与される吸引圧力Ｑの絶対値｜Ｑ｜と、の関係は、次式｜Ｗ｜×２＜｜Ｑ｜を満たす態様が好ましい。
【手続補正１１】
【補正対象書類名】明細書
【補正対象項目名】０１５６
【補正方法】変更
【補正の内容】
【０１５６】
（発明６）：発明４又は５に記載の媒体搬送装置において、前記カール状態判断手段は、前記ガイド部の吸引流量に基づいて前記媒体のカール状態を判断する態様が好ましい。
【手続補正１２】
【補正対象書類名】明細書
【補正対象項目名】０１６４
【補正方法】変更
【補正の内容】
【０１６４】
（発明１０）：発明８又は９に記載の媒体搬送装置において、前記吹付制御部は、前記吹付圧力Ｅの絶対値｜Ｅ｜と前記吸引圧力Ｑの絶対値｜Ｑ｜との和が前記吸引圧力付与部によって前記媒体に付与される吸引圧力Ｗの絶対値｜Ｗ｜の５倍を超える場合は、前記吹付部のエア吹き付けを停止させる態様が好ましい。
【手続補正１３】
【補正対象書類名】明細書
【補正対象項目名】０１７４
【補正方法】変更
【補正の内容】
【０１７４】
（発明１５）：記録媒体を保持しながら所定の方向へ搬送する搬送手段と、前記搬送手段に搬送される記録媒体へ画像を形成する画像形成手段と、を備え、前記媒体搬送手段は、前記記録媒体の裏面を支持する媒体支持領域を有し、前記記録媒体を支持しながら所定の搬送方向へ搬送する媒体搬送部と、前記記録媒体の搬送路上における前記媒体搬送部に前記記録媒体の固定支持が開始される支持開始位置よりも媒体搬送方向の上流側の直近に配置され、前記記録媒体の表面に接触させて前記記録媒体を前記媒体搬送部へ密着させるガイド部と、を具備し、前記ガイド部は、前記記録媒体に対向する位置に吸引口が設けられ、少なくとも一部が前記媒体支持領域に固定支持された前記記録媒体の、前記媒体支持領域に固定支持されていない部分に吸引圧力を付与してバックテンションをかける画像形成装置。
【手続補正１４】
【補正対象書類名】図面
【補正対象項目名】図２
【補正方法】変更
【補正の内容】
【図２】
2013028420.tif 000001
【手続補正１５】
【補正対象書類名】図面
【補正対象項目名】図４
【補正方法】変更
【補正の内容】
【図４】
2013028420.tif 000002
【手続補正１６】
【補正対象書類名】図面
【補正対象項目名】図５
【補正方法】変更
【補正の内容】
【図５】
2013028420.tif 000003
【手続補正１７】
【補正対象書類名】図面
【補正対象項目名】図１０
【補正方法】変更
【補正の内容】
【図１０】
2013028420.tif 000004
【手続補正１８】
【補正対象書類名】図面
【補正対象項目名】図１３
【補正方法】変更
【補正の内容】
【図１３】
2013028420.tif 000005
【手続補正１９】
【補正対象書類名】図面
【補正対象項目名】図１６
【補正方法】変更
【補正の内容】
【図１６】
2013028420.tif 000006
【手続補正２０】
【補正対象書類名】図面
【補正対象項目名】図１７
【補正方法】変更
【補正の内容】
【図１７】
2013028420.tif 000007